(57)【要約】【課題】光源の交換ができ、パネルの光る部分に対して光らない部分の割合を小さくできる埋込型照明器具を供給することにある。【解決手段】光源を収納した有底筒状の内本体と、この内本体の開口部を塞ぐ透光性材料で形成されたパネルと、このパネルの周縁に当接する防水用のパッキンと、このパッキン又は／及びパネルに当接する当接部を有しこの当接部によりパッキンを圧接する外枠と、を備えた埋込型照明器具において、前記外枠を内本体の側壁に沿って内本体の底の部分まで延設し、この延設した箇所に内本体の底の部分を前記開口部の方向に押つけることにより前記外枠の当接部と前記内本体の開口部の周縁との間で前記パネルと前記パッキンとを挟持する内本体押圧手段を設けたことを特徴とする。【選択図】　　　　図１
2004146214.tif 000002
【特許請求の範囲】
【請求項１】
光源を収納した有底筒状の内本体と、この内本体の開口部を塞ぐ透光性材料で形成されたパネルと、このパネルの周縁に当接する防水用のパッキンと、このパッキン又は／及びパネルに当接する当接部を有しこの当接部によりパッキンを圧接する外枠と、を備えた埋込型照明器具において、前記外枠を内本体の側壁に沿って内本体の底の部分まで延設し、この延設した箇所に内本体の底の部分を前記開口部の方向に押つけることにより前記外枠の当接部と前記内本体の開口部の周縁との間で前記パネルと前記パッキンとを挟持する内本体押圧手段を設けたことを特徴とする埋込型照明器具。
【請求項２】
前記内本体押圧手段を複数備え、前記内本体の底の部分を複数箇所で押つけるようになしたことを特徴とする請求項１記載の埋込型照明器具。
【請求項３】
前記外枠を有底筒状の外本体とし、この外本体の開口部に前記当接部を、外本体の底の部分に前記内本体押圧手段を、設けたことを特徴とする請求項１又は２記載の埋込型照明器具。
【請求項４】
前記当接部は、前記外本体の開口部全周に設けられたことを特徴とする請求項３記載の埋込型照明器具。
【請求項５】
前記外本体の開口部と略直交する側壁に、前記内本体を挿入し得る挿入用開口を設けたことを特徴とする請求項３又は４記載の埋込型照明器具。
【請求項６】
前記内本体押圧手段は、前記内本体の底の部分と接触するボルトであり、このボルトを回転させることにより前記内本体の底の部分を前記開口部の方向に押つけるようになしたことを特徴とする請求項１乃至５記載の埋込型照明器具。
【請求項７】
地中に埋め込まれる埋込みボックスを備え、この埋込みボックスの中に全体が収納されたことを特徴とする請求項１乃至６記載の埋込型照明器具。
【発明の詳細な説明】
【０００１】
【発明の属する技術分野】
本発明は、地中などに埋設して使用される埋込型照明器具に関する。
【０００２】
【従来の技術】
この種の埋込型照明器具としては、実開平４−３６７２１号公報に開示されたものがあり、図４はこのものを地中などに設置したときの要部断面図である。このものは、有底筒状をなし開口部１０Ｘの周縁に外方へ突出するとともにこの突出した部分にリング状の凸状部１０ｂを備えた鍔部１０ａを有する本体１０と、この本体１０の開口部１０Ｘを塞ぐ透光性材料で形成されたパネル２と、このパネル２の周縁に当接する防水用のパッキン３と、このパッキン３に当接する当接部を有しこの当接部によりパッキン３を凸状部１０ｂに圧接する外枠４と、を備えて構成されている。
【０００３】
ここで本体１０は、内部にランプが配設されており、また凸状部１０ｂは、鍔部１０ａの一部を逆Ｕ字状に盛り上げて形成したものとなっている。また、パネル２は、ランプからの光を外部に放出できるようなガラスなどで形成されている。そして、パネル２の周縁には、断面コ字状をなしたパッキン３が嵌め込まれている。
【０００４】
次に、この埋込型照明器具の設置方法を説明する。まず、本体１０を地中に設けた埋込み穴４０に埋設する。そして、本体１０の開口部１０Ｘをパネル２と外枠４で閉じることにより設置が完了する。この閉じ方を詳しく述べると、まず、本体１０の開口部１０Ｘの周縁に形成された鍔部１０ａの凸状部１０ｂの上に、パネル２の周縁に取り付けられたパッキン３を載置する。そして、この上から外枠４をパッキン３が鍔部１０ａの凸状部１０ｂを圧着するように鍔部１０ａに固定するのである。
【０００５】
また、このものにおいてランプ交換などによりパネル２の取り外しを行う際は、上述の設置方法で説明したものと逆の手順で行えばよい。
【０００６】
この埋込型照明器具は、本体１０を地中に設けた埋込み穴４０に埋設する際には、埋込み穴４０の周縁部分に図５で示したような突起Ｃがあったとしても、鍔部１０ａの一部を逆Ｕ字状に盛り上げて形成した凸状部１０ｂにより、埋込み面と鍔部１０ａの間に隙間が発生することなく設置できるものとなる。
【０００７】
次に、これとは別の埋込型照明器具として、特開昭５３−１２２２７８号公報に開示されたものを図６に示す。このものは、光源を収納した有底筒状の本体１０と、この本体１０の開口部１０Ｘを塞ぐ透光性材料で形成されたパネル２と、このパネル２の周縁に当接する防水用のパッキン３と、このパッキン３に当接する当接部を有しこの当接部によりパッキン３をパネル２と本体１０の開口部に圧接する外枠４と、取り付けネジ３０と、これらを収納する埋込みボックス８と、を備えて構成されたボックス埋込型照明器具である。
【０００８】
このものは、仮蓋をした埋込みボックス８を地中に埋込み、その後、仮蓋を外して本体１０を挿入し、その本体１０にパネル２、パッキン３を載せ、さらにその上から外枠４を取り付けネジ３０により埋込みボックス８に固定することにより、地中に設置できるものである。
【０００９】
さらに、別の埋込型照明器具として、すでに市販されているものを図７に示す。このものは、光源を収納した有底筒状の内本体１と、この内本体１の開口部１Ｘを塞ぐ透光性材料で形成されたパネル２と、このパネル２の周縁に当接する防水用のパッキン３と、このパッキン３に当接する当接部を有しこの当接部によりパッキン３を内本体１に圧接する外枠４と、取り付けネジ３０と、を備えて構成されている。
【００１０】
内本体１は、開口部１Ｘの周縁に外方へ突出する鍔部１ａを備え、この鍔部１ａには、取り付けネジ３０をネジ止めするためのネジ穴１ｂが数カ所にわたり設けられている。
【００１１】
外枠４は、取り付けネジ３０を通すための孔４ｂを内本体１のネジ穴１ｂに対応した箇所に備えている。また、パッキン３はパネル２の周縁に取り付けられており、パネル３と一体となっている。
【００１２】
このものは、外枠４と内本体１との間にパッキン３を挟み込み、取り付けネジ３０を締めつけることにより、外枠４が内本体１に固定される。このとき外枠４と内本体１との間にパッキン３を圧着して固定されるので、水などが内本体１に侵入しないように取り付けできるものである。さらに、このものは、前述したものと同様に埋込みボックス８を備えることによりボックス埋込型照明器具としても使用できる。
【００１３】
また、図８、図９は、図７のものにおいて外枠４やパッキン３を設けず、代わりにシリコーンなどの柔軟で防水性の高い材料を使って内本体１とパネル２との隙間を塞ぎ、水などが内本体１に侵入しないようにしたもの、いわゆるコーキング５０を行ったものであり、図８はこのものの斜視図、図９は要部斜視図である。
【００１４】
このものは、図７に示した外枠４の上面部分の面積と比べコーキング５０を行った表面の面積が少なくて済む。従って、埋込型照明器具を上面から見たときにパネル２の光る部分に対してコーキング５０の光らない部分の割合が小さくできる。なお、このものにおいても前述したものと同様に埋込みボックス８を備えることによりボックス埋込型照明器具としても使用できる。
【００１５】
【特許文献１】
実開平４−３６７２１号公報
【００１６】
【特許文献２】
特開昭５３−１２２２７８号公報
【００１７】
【発明が解決しようとする課題】
ところが、図４〜図７に示した埋込型照明器具は、水などが侵入しないものとするために、鍔部１ａ、１０ａを有しており、このために埋込型照明器具を上面から見たときにパネル２の光る部分に対して外枠４による光らない部分の割合が大きいものとなる。さらに、図６、図７で示したのもについては、取り付けネジ３０の頭が見えるものとなりデザイン的に好まれないことがあった。
【００１８】
また、図８に示した埋込型照明器具は、上面から見たときにパネル２の光る部分に対してコーキング５０の光らない部分の割合は小さくできるが、パネル２を取り外すことができず、このため光源の寿命などにより、これを交換することは難しいものとなっていた。
【００１９】
本発明は、上記事由に鑑みてなしたもので、その目的とするところは、光源の交換ができ、パネルの光る部分に対して光らない部分の割合を小さくできる埋込型照明器具を供給することにある。
【００２０】
【課題を解決するための手段】
請求項１に係る発明は、光源を収納した有底筒状の内本体と、この内本体の開口部を塞ぐ透光性材料で形成されたパネルと、このパネルの周縁に当接する防水用のパッキンと、このパッキン又は／及びパネルに当接する当接部を有しこの当接部によりパッキンを圧接する外枠と、を備えた埋込型照明器具において、前記外枠を内本体の側壁に沿って内本体の底の部分まで延設し、この延設した箇所に内本体の底の部分を前記開口部の方向に押つけることにより前記外枠の当接部と前記内本体の開口部の周縁との間で前記パネルと前記パッキンとを挟持する内本体押圧手段を設けたことを特徴とする。
【００２１】
請求項２に係る発明の埋込型照明器具は、請求項１において、前記内本体押圧手段を複数備え、前記内本体の底の部分を複数箇所で押つけるようになしたことを特徴とする。
【００２２】
請求項３に係る発明の埋込型照明器具は、請求項１又は２において、前記外枠を有底筒状の外本体とし、この外本体の開口部に前記当接部を、外本体の底の部分に前記内本体押圧手段を、設けたことを特徴とする。
【００２３】
請求項４に係る発明の埋込型照明器具は、請求項３において、前記当接部は、前記外本体の開口部全周に設けられたことを特徴とする。
【００２４】
請求項５に係る発明の埋込型照明器具は、請求項３又は４において、前記外本体の開口部と略直交する側壁に、前記内本体を挿入し得る挿入用開口を設けたことを特徴とする。
【００２５】
請求項６に係る発明の埋込型照明器具は、請求項１乃至５のいずれかにおいて、前記内本体押圧手段は、前記内本体の底の部分と接触するボルトであり、このボルトを回転させることにより前記内本体の底の部分を前記開口部の方向に押つけるようになしたことを特徴とする。
【００２６】
請求項７に係る発明の埋込型照明器具は、請求項１乃至６のいずれかにおいて、地中に埋め込まれる埋込みボックスを備え、この埋込みボックスの中に全体が収納されたことを特徴とする。
【００２７】
【発明の実施の形態】
本発明の実施の形態を図１〜図３を用いて説明する。図１は埋込型照明器具の分解斜視図、図２はこのものを地中に埋め込まれる埋込みボックスに収納したときの外観図、図３はこのものを埋込みボックスに収納したときの長手方向横断面図である。
【００２８】
この埋込型照明器具は、光源を収納した有底筒状の内本体１と、この内本体１の開口部１Ｘを塞ぐ透光性材料で形成されたパネル２と、このパネル２の周縁に当接する防水用のパッキン３と、このパッキン３に当接する当接部を有しこの当接部によりパッキン３を内本体１に圧接する外枠すなわち外本体４１と、を備えて構成されている。
【００２９】
内本体１は、ステンレス鋼鈑や強化プラスチックなど、衝撃に強く、錆びにくい材料により有底筒状、詳しくは、上部に開口部１Ｘを備え、底部が長方形をなした矩形の箱状に形成されている。そして、開口部１Ｘの周縁には、内本体１の側壁上端より内方に少し伸びる当接部１ｃが設けられている。そして、内本体１の内部には、ＬＥＤ素子などの光源と、その電源、及びＬＥＤ素子から出た光を所定の方向に向ける反射板と、電源に電力を供給する電源コードと、を備えて構成された光源ユニット１１が収納されている。そして、内本体１の底部には、電源コードを外部に引き出すための電源用開口が設けられており、電線を引き出した後は、水などが侵入しないようにゴムパッキンなどで防水処理がなされている。なお、内本体１の電源用開口や開口部１Ｘ以外の側壁や底の部分は、勿論、水などが侵入しないように加工されている。
【００３０】
パネル２は、透光性を備えた強化ガラスや網入ガラスなど、この上に人が乗っても、通常、破損することのないもので平板状に形成されている。そして、パネル２の周端部は、後述するパッキン３を嵌め込むための凸状部を備えている。
【００３１】
パッキン３は、弾性を備えたゴム材により、その断面がコ字状をなすように形成されている。そして、コ字状の部分をパネル２の周端部に設けられた凸状部に嵌め込むことにより、パネル２に取り付けられている。
【００３２】
外本体４１は、ステンレス鋼鈑など、衝撃に強く、錆びにくい材料により形成されている。そして、その上部には、パッキン３と当接する当接部４１ｃが外本体４１の側壁上端より内方に向けて形成されている。
【００３３】
ここで重要なことは、外枠すなわち外本体４１を内本体１の側壁に沿って内本体１の底の部分まで延設し、この延設した箇所に内本体１の底の部分を開口部１Ｘの方向に押つけることにより外本体４１の当接部４１ｃと内本体１の開口部１Ｘの周縁との間でパネル２とパッキン３とを挟持する内本体押圧手段７を設けたことである。そして、内本体押圧手段７を内本体１の底の部分と接触するボルトで構成し、このボルトを回転させることにより内本体１の底の部分を開口部１Ｘの方向に押つけるようにしたこと、さらに、このボルトを複数備え、内本体１の底の部分を複数箇所で開口部１Ｘの方向に押つけるようにしたことである。ここで外本体４１を具体的に説明すると、外本体４１は有底筒状、詳しくは、底部が長方形をなした矩形の箱状に形成されたものであり、外本体４１の上部の開口部４１Ｘには、当接部４１ｃが開口部４１Ｘの全周にわたり設けられている。そして、外本体４１の底の部分には、内本体押圧手段７すなわちボルトを回転させることにより、ボルトが下から上につき抜けるようなネジ穴４１ｅが設けられている。さらに外本体４１の開口部４１Ｘと略直交する側壁には、内本体１を挿入し得る挿入用開口４１ｄが設けられている。
【００３４】
次に、この埋込型照明器具の設置方法を説明する。まず内本体１の開口部１Ｘの上にパネル２を載せる。これにより、パネル２のガラス部分が内本体１の開口部１Ｘに嵌り込み、パネル２の周端に取り付けられたパッキン３が内本体１の当接部１ｃの上に当接する。次に、このものを外本体４１の側壁に設けられた挿入用開口４１ｄより挿入し、外本体４１の中に収納する。そして、４箇所に設けられた内本体押圧手段７すなわちボルトを回転させボルトを締めつける。これにより内本体１の底の部分が内本体１の開口部１Ｘの方向、すなわち外本体４１の開口部４１Ｘの方向に押つけられ、ひいては内本体１が外本体４１の開口部４１Ｘの方向に移動し、やがては、外本体４１の当接部４１ｃと内本体１の開口部の周縁に設けられた当接部１ｃとの間でパネル２とパッキン３とが挟持される。そして、パネル２とパッキン３とが適度に挟持された状態でボルトの締めつけを終了し、この埋込型照明器具を所定の埋込み穴に挿入することにより設置が完了する。なお、このとき外本体４１の底と内本体１の底との間に空間が形成されるので、内本体１の底部より引き出された電源コードをこの空間に収納することができるものとなる。
【００３５】
次に、このものにおいて光源ユニット１１の交換などを行うときの方法を説明する。まず、この埋込型照明器具を所定の埋込み穴から引出し、その後、内本体押圧手段７すなわちボルトを回転させ、これを緩める。この状態で外本体４１の側壁に設けられた挿入用開口４１ｄよりパネル２が載せられた内本体１を引出し、さらにパネル２を内本体１から外すことにより光源ユニット１１が交換できる状態となる。光源ユニット１１を交換した後は、前述したものと逆の手順で取り付けを行えばよい。
【００３６】
この実施の形態によると、外枠すなわち外本体４１を内本体１の側壁に沿って内本体１の底の部分まで延設し、この延設した箇所に内本体１の底の部分を内本体１の開口部１Ｘの方向に押つけることにより外本体４１の当接部４１ｃと内本体１の開口部の周縁との間でパネル２とパッキン３とを挟持する内本体押圧手段７を設けたことにより、従来、外枠は図６、図７に示したようにパッキン３の周端のさらに外側に少なくとも取り付けネジ３０のネジ頭分の幅を有して設けられる必要があったものが、パッキン３の周端のさらに外側に略外枠の板厚分のみ広がる外枠でよいものとすることができる。従って、パネル２の光る部分に対して光らない部分すなわち、外枠の光らない部分が占める割合を小さくできる。さらに、このものは、内本体押圧手段７を緩め、内本体１の底の部分を外本体４１の開口部４１Ｘの方向に押つけることを解除することにより、光源の交換、つまり、ＬＥＤ素子を備えた光源ユニット１１の交換ができるものとなる。また、パネル２の発光面側には、取り付けネジなどの頭が見えるものではなく、デザイン的にも好ましいものとなる。
【００３７】
さらに、このものは、内本体押圧手段７を複数備え、内本体１の底の部分を複数箇所で押つけるようになしたことにより、内本体１を全体的に内本体１の開口部１Ｘの方向に押しつけることができるので、外本体４１の当接部４１ｃと内本体１の開口部の周縁との間でパネル２とパッキン３とをより均一に挟持することができる。
【００３８】
また、外本体４１を外枠ではなく、有底筒状の箱体に形成し、外本体４１の開口部４１Ｘに当接部４１ｃを、外本体４１の底の部分に内本体押圧手段７を、設けることにより、内本体１の側壁に沿って内本体１の底の部分まで延設した箇所が外本体４１と外枠とで同じ強度にした場合、外本体４１で形成したものの方が厚みを薄くすることができ、従って、パネル２の光る部分に対して光らない部分が占める割合をさらに小さくできる。
【００３９】
また、外本体４１の開口部全周にわたる当接部４１ｃを設けたことにより、外本体４１の当接部４１ｃと内本体１の開口部の周縁との間でパネル２とパッキン３とをより均一に挟持することができる。また、外本体４１の開口部と略直交する側壁に、内本体１を挿入し得る挿入用開口４１ｄを設けたことにより、内本体１とパネル２の取り出しや、その施工がより容易にできるものとなる。
【００４０】
さらに、内本体押圧手段７は、内本体１の底の部分と接触するボルトであり、このボルトを回転させることにより内本体１の底の部分を外本体４の開口部４１Ｘの方向に押つけるようになしたことにより、より簡単な方法で、内本体押圧手段７を形成することができるとともに外本体４１の底と内本体１の底との間に空間が形成されるので、内本体１の底部より引き出された電源コードをこの空間に収納することができるものとなる。
【００４１】
なお、この埋込型照明器具は、内本体１や外本体４１に、図４に示したような埋込み穴の開口よりその径方向に広がる部分がなく、これにより設置後においては、埋込み穴の開口とほぼ同一平面上に設置できるものとなる。従って、この上を人が歩いたり、車椅子やベビーカーが通ったりしても、段差に躓いたり、段差により衝撃を受けたりすることの殆どないものにすることができる。
【００４２】
なお、前述したもの以外に、外本体４１は、単なる枠体、すなわち外枠でもよく、外枠や外本体４１の当接部は、パッキン３とパネル２との両方に当接してパッキン３を圧接するものや、パネル２に当接しこれを介してパッキン３を圧接するものであってもよい。またパッキン３は、内本体１に一体に取り付けられたものでもよい。さらに、光源の交換については、光源ユニット１１として交換するもの以外に、例えば、ＬＥＤ素子の実装された基板のみを交換したり、より汎用性の高い蛍光灯や高輝度放電灯などの光源を交換するものであってもよい。
【００４３】
また、埋込型照明器具の取り付けは、壁面であってもよく、この場合、凸状をなした先端部への埋込みや、階段などの蹴上げ部分への埋込みが有効である。
【００４４】
さらに、埋込型照明器具の設置方法としては、所定の埋込み穴に設置する代りに、埋込みボックス８を用いてもよい。ここで埋込みボックス８は、その底の部分が長方形である有底筒状をなし、その大きさは、これに埋め込む埋込型照明器具がほぼピッタリと収まるものであり、地面に埋設されるものである。このものの設置方法は、仮蓋をした埋込みボックス８を地中に埋込み、その後、仮蓋を外して埋込型照明器具を挿入することにより設置されるものである。
【００４５】
【発明の効果】
請求項１記載の発明にあっては、光源を収納した有底筒状の内本体と、この内本体の開口部を塞ぐ透光性材料で形成されたパネルと、このパネルの周縁に当接する防水用のパッキンと、このパッキン又は／及びパネルに当接する当接部を有しこの当接部によりパッキンを圧接する外枠と、を備えた埋込型照明器具において、前記外枠を内本体の側壁に沿って内本体の底の部分まで延設し、この延設した箇所に内本体の底の部分を前記開口部の方向に押つけることにより前記外枠の当接部と前記内本体の開口部の周縁との間で前記パネルと前記パッキンとを挟持する内本体押圧手段を設けたことにより、光源の交換ができるとともにパネルの光る部分に対して光らない部分すなわち、パネル面における外枠が占める割合を小さくできる。
【００４６】
請求項２記載の発明にあっては、前記内本体押圧手段を複数備え、前記内本体の底の部分を複数箇所で押つけるようになしたことにより、請求項１に記載の効果を奏するうえに、外本体の当接部と内本体の開口部の周縁との間でパネルとパッキンとをより均一に挟持することができる。
【００４７】
請求項３記載の発明にあっては、前記外枠を有底筒状の外本体とし、この外本体の開口部に前記当接部を、外本体の底の部分に前記内本体押圧手段を、設けたことにより、請求項１又は請求項２に記載の効果を奏するうえに、内本体の側壁に沿って内本体の底の部分まで延設した箇所が外本体と外枠とで同じ強度にした場合、外本体で形成したものの方が厚みを薄くすることができ、従って、パネルの光る部分に対して光らない枠の部分が占める割合をさらに小さくできる。
【００４８】
請求項４記載の発明にあっては、前記当接部は、前記外本体の開口部全周に設けられたことにより、請求項３に記載の効果を奏するうえに、外本体の当接部と内本体の開口部の周縁との間でパネルとパッキンとをより均一に挟持することができる。
【００４９】
請求項５記載の発明にあっては、前記外本体の開口部と略直交する側壁に、前記内本体を挿入し得る挿入用開口を設けたことにより、請求項３又は４に記載の効果を奏するうえに、内本体とパネルの取り出しや、その施工がより容易にできるものとなる。
【００５０】
請求項６記載の発明にあっては、前記内本体押圧手段は、前記内本体の底の部分と接触するボルトであり、このボルトを回転させることにより前記内本体の底の部分を前記開口部の方向に押つけるようになしたことにより、請求項１乃至５のいずれかに記載の効果を奏するうえに、より簡単な方法で、内本体押圧手段を形成することができる。
【００５１】
請求項７記載の発明にあっては、地中に埋め込まれる埋込みボックスを備え、この埋込みボックスの中に全体が収納されたことにより、請求項１乃至６のいずれかに記載の効果を奏するうえに、埋込型照明器具の地中からの取り出しがさらに容易となる。
【図面の簡単な説明】
【図１】本発明の第１の実施の形態に係る埋込型照明器具の分解斜視図である。
【図２】同上の埋込型照明器具を地中に埋め込まれる埋込みボックスに収納したときの外観図である。
【図３】同上の埋込型照明器具を埋込みボックスに収納したときの長手方向横断面図である。
【図４】第１の従来例に係る埋込型照明器具を示す図で、このものを地中などに設置したときの要部断面図である。
【図５】同上の埋込型照明器具を示す図で、このものを周縁に突起のある埋込み穴に設置したときの要部断面図である。
【図６】第２の従来例に係る埋込型照明器具を示す図で、このものを地中などに設置したときの要部断面図である。
【図７】第３の従来例に係る埋込型照明器具の分解斜視図である。
【図８】第３の従来例に係る埋込型照明器具の斜視図である。
【図９】同上の埋込型照明器具の要部断面図である。
【符号の説明】
１　　　内本体
１Ｘ　　内本体の開口部
１ｃ　　内本体の当接部
２　　　パネル
３　　　パッキン
４　　　外枠
４１　　外本体
４１ｃ　外本体の当接部
４１ｄ　挿入用開口
４１Ｘ　外本体の開口部
７　　　内本体押圧手段
８　　　埋込みボックス
１１　　光源ユニット
【図１】
2004146214.tif 000003
【図２】
2004146214.tif 000004
【図３】
2004146214.tif 000005
【図４】
2004146214.tif 000006
【図５】
2004146214.tif 000007
【図６】
2004146214.tif 000008
【図７】
2004146214.tif 000009
【図８】
2004146214.tif 000010
【図９】
2004146214.tif 000011